(57)【特許請求の範囲】
【請求項１】
ＶＣＯ回路をそれぞれ備えた２系統の信号処理回路を有する受信装置であって、
一方の系統で生成された位相同期ループ回路の基準信号を、他方の系統の位相同期ループ回路の基準信号として入力する基準信号共用手段と、
一方の系統には希望信号周波数と同一の周波数をローカル周波数に設定し、他方の系統にはＶＣＯ回路の相互干渉を低減するように、（希望信号周波数）＋（ＰＬＬステップ周波数×ｎ（ｎは１以上の自然数））をローカル周波数に設定するローカル周波数設定手段と、を備えることを特徴とする受信装置。
【請求項２】
上記ローカル周波数設定手段において、ｎが１であることを特徴とする請求項１に記載の受信装置。
【請求項３】
上記基準信号共用手段および上記ローカル周波数設定手段が、上記２系統の希望信号周波数が一致する時のみ機能するものであることを特徴とする請求項１または２に記載の受信装置。
【請求項４】
上記基準信号共用手段および上記ローカル周波数設定手段が、常に機能するものであることを特徴とする請求項１または２に記載の受信装置。
【請求項５】
上記受信装置が、ダイレクトコンバージョン方式のデジタル衛星放送受信用であることを特徴とする請求項１から４のいずれか１項に記載の受信装置。
【請求項６】
ＶＣＯ回路をそれぞれ備えた２系統の信号処理回路を有する受信装置の制御方法において、
一方の系統で生成された位相同期ループ回路の基準信号を、他方の系統の位相同期ループ回路の基準信号として入力する基準信号共用処理と、
一方の系統には希望信号周波数と同一の周波数をローカル周波数に設定し、他方の系統にはＶＣＯ回路の相互干渉を低減するように、（希望信号周波数）＋（ＰＬＬステップ周波数×ｎ（ｎは１以上の自然数））をローカル周波数に設定するローカル周波数設定処理と、を含むことを特徴とする受信装置の制御方法。
【請求項７】
上記ローカル周波数設定処理において、ｎが１であることを特徴とする請求項６に記載の受信装置の制御方法。
【請求項８】
上記基準信号共用処理および上記ローカル周波数設定処理を、上記２系統の希望信号周波数が一致する時のみに行うことを特徴とする請求項６または７に記載の受信装置の制御方法。
【請求項９】
上記基準信号共用処理および上記ローカル周波数設定処理を、常に行うことを特徴とする請求項６または７に記載の受信装置の制御方法。
【請求項１０】
上記受信装置が、ダイレクトコンバージョン方式のデジタル衛星放送受信用であることを特徴とする請求項６から９のいずれか１項に記載の受信装置の制御方法。
【請求項１１】
請求項６から１０のいずれか１項に記載の受信装置の制御方法を実行するための受信装置の制御プログラムであって、コンピュータに上記の各処理を実行させるための受信装置の制御プログラム。
【請求項１２】
請求項１１に記載の制御プログラムを記録したコンピュータ読み取り可能な記録媒体。
【発明の詳細な説明】
【０００１】
【発明の属する技術分野】
本発明は、デジタル放送を視聴するための受信装置、受信装置の制御方法、受信装置の制御プログラム、ならびに、これを記録したコンピュータ読み取り可能な記録媒体に関するものである。
【０００２】
【従来の技術】
近年、衛星放送やＣＡＴＶなどの分野において、デジタル放送の普及が世界的に進んでいる。ここで、ＢＳ放送、ＣＳ放送、デジタルＢＳ放送などの各種デジタル放送を視聴するための受信機およびフロントエンドユニットは、信号変換のための回路を１系統だけ備えたものが現在主流である。具体的には、上記フロントエンドユニットは、入力されたＲＦ信号をレベル変換・フィルタリングするためのＲＦ回路、ＲＦ回路で処理された信号をローカル発振信号と混合し、互いに９０度の位相差を有するＩ信号とＱ信号のベースバンド信号に直接変換するためのダイレクトＩ／Ｑ直交検波回路、およびローカル発振信号を生成するＶＣＯ回路、ローカル発振信号の周波数を制御するＰＬＬ選局回路を、それぞれ１系統備えている。
【０００３】
ところで、欧州では２００１年９月に、異なる２つの衛星を一つのデジタル放送受信用セットトップボックス（以後ＳＴＢという）で受信できるサービスがスタートした。
【０００４】
このサービスを実現するためには、ＳＴＢに、２つの衛星からのＲＦ信号をそれぞれのベースバンド信号に変換し、さらにトランスポートストリーム信号に変換するためのフロントエンド回路が２系統必要である。すなわち、ＳＴＢには、フロントエンド回路をユニット化したフロントエンドユニット（チューナーユニット）が２個必要となる。そして、このようなＳＴＢを小型化するために、２個のフロントエンドユニットを搭載する代わりに、２系統のフロントエンド回路をひとつのキャビネットにパッケージングしたユニットの開発が進められている。
【０００５】
次に、図３および図４を参照しながら、２系統のフロントエンド回路を備えたフロントエンドユニットの回路構成例について説明する。
【０００６】
図３のデジタル放送受信用フロントエンドユニット５０では、２つの異なる衛星ＲＦ信号を受信するために、２系統のフロントエンド回路ａ，ｂが完全に分かれている。フロントエンド回路ａ，ｂの構成は同一であるため、ここではフロントエンド回路ａについてのみ説明する。
【０００７】
入力端子５１から入力されたＲＦ信号ｑａ１は、ＲＦフィルタ５３にて不要信号が除去され（ｑａ２）、ＲＦ増幅器５５で増幅された後（ｑａ３）、ＲＦ−ＡＧＣ回路５７で最適な信号強度に変換されて（ｑａ４）、Ｉ／Ｑ直交検波器５９に入力される。Ｉ／Ｑ直交検波器５９において、ＲＦ信号ｑａ４は、ＶＣＯ６１が生成するローカル発振信号ｑａ５と混合され、互いに９０度の位相差を有するＩ信号ｑａ６およびＱ信号ｑａ７のベースバンド信号にダイレクト変換されて、出力端子６７，６９からそれぞれ出力される。ここで、ＶＣＯ６１が生成するローカル発振信号ｑａ５は、ＰＬＬ選局回路６３によってＲＦ信号ｑａ４と同一の周波数になるように制御される。
【０００８】
なお、ローカル発振信号ｑａ５の周波数、すなわちローカル発振周波数（＝選局周波数）は、ＰＬＬ基準信号発振回路６５が生成するステップ周波数と、ホストＣＰＵ（図示せず）からデータ送信されるプログラマブルデバイダ分周数Ｎによって決定される。一般には、希望信号周波数＝ローカル周波数＝ステップ周波数×Ｎになるように、ソフトウエアによってＮの値が決定される。
【０００９】
これにより、フロントエンドユニット５０では、フロントエンド回路ａ，ｂにおいて、２つの異なる衛星からのＲＦ信号ｑａ１，ｑｂ１がそれぞれ互いに独立して選局・処理され、Ｉ信号ｑａ６およびＱ信号ｑａ７と、Ｉ信号ｑｂ６およびＱ信号ｑｂ７との２系統のベースバンド信号が出力される。その結果、フロントエンドユニット５０では、２つの衛星からの放送を受信できる。
【００１０】
つぎに、図４のデジタル放送受信用フロントエンドユニット５０′では、フロントエンド回路ａにＲＦ分配回路７１が、フロントエンド回路ｂにＲＦスイッチ７２がそれぞれ設けられている。入力端子５１からフロントエンド回路ａに入力され、ＲＦ分配回路７１にて分配出力されたＲＦ信号ｑ８は、フロントエンド回路ｂのＲＦスイッチ７２に入力され、フロントエンド回路ｂの出力端子６８，７０からＩ信号ｑｂ６およびＱ信号ｑｂ７のベースバンド信号として出力される。
【００１１】
これにより、フロントエンドユニット５０′では、１つの衛星からのＲＦ信号をＲＦ分配回路７１で分配し、フロントエンド回路ａ，ｂにおいて互いに独立して選局・処理して、Ｉ信号ｑａ６およびＱ信号ｑａ７と、Ｉ信号ｑｂ６およびＱ信号ｑｂ７の２系統のベースバンド信号を出力できる。よって、フロントエンドユニット５０′では、１つの衛星の異なる２つのチャンネルを２つ同時に視聴することや、裏番組を別に用意された機器に記録することなど、フロントエンドユニット５０（図３）に比べてさらに多機能なサービスを提供できる。
【００１２】
【発明が解決しようとする課題】
上述のように、異なる２つのデジタル放送を受信したり、１つのデジタル放送を受信しながら、同じ番組を録画したり、または裏番組を録画したりする場合には、ＳＴＢには２系統のデジタル放送受信用フロントエンドが必要である。したがって、そのために、ＳＴＢ内部に２個のフロントエンドユニットを塔載するか、２つのフロントエンド機能を１つのユニットにパッケージしたものを塔載することになる。特に後者は、小型化、低コスト化の点で有利であり、開発が進められている。
【００１３】
しかし、１つのキャビネットのなかに２つのＶＣＯ回路が密接して配置されるため、２つのＶＣＯ回路が同一周波数を選局した場合、一方のローカル発振信号が他方のＶＣＯ回路にリークして、ローカル発振信号の純度を表すフェーズノイズ特性が劣化する。ローカル発振信号のフェーズノイズ特性は、ＲＦ信号とローカル発振信号より生成されるベースバンド信号のフェーズノイズ特性と１：１で相関するため、ベースバンド信号の品質低下を招く。そして、ＶＣＯ回路の相互干渉は、互いのローカル周波数が、近づけば近づくほど大きくなり、ローカル周波数が完全に一致したときが最も大きくなる。このため、２つのフロントエンド回路で同一チャンネルを選局したときに受信障害を生じる危険があった。
【００１４】
本発明は、上記の問題点を解決するためになされたもので、その目的は、ＶＣＯ回路の相互干渉による受信障害を抑制することができる受信装置、および、受信装置の制御方法を提供することにある。また、本発明の目的には、上記受信装置の制御方法をコンピュータに実行させる受信装置の制御プログラム、およびこれを記録したコンピュータ読み取り可能な記録媒体を提供することも含まれる。
【００１５】
【課題を解決するための手段】
上記の課題を解決するために、本発明の受信装置は、ＶＣＯ回路をそれぞれ備えた２系統の信号処理回路を有する受信装置であって、一方の系統で生成された位相同期ループ回路の基準信号を、他方の系統の位相同期ループ回路の基準信号として入力する基準信号共用手段と、一方の系統には希望信号周波数と同一の周波数をローカル周波数に設定し、他方の系統にはＶＣＯ回路の相互干渉を低減するように、（希望信号周波数）＋（ＰＬＬステップ周波数×ｎ（ｎは１以上の自然数））をローカル周波数に設定するローカル周波数設定手段と、を備えることを特徴としている。
【００１６】
また、本発明の受信装置の制御方法は、ＶＣＯ回路をそれぞれ備えた２系統の信号処理回路を有する受信装置であって、一方の系統で生成された位相同期ループ回路の基準信号を、他方の系統の位相同期ループ回路の基準信号として入力する基準信号共用処理と、一方の系統には希望信号周波数と同一の周波数をローカル周波数に設定し、他方の系統にはＶＣＯ回路の相互干渉を低減するように、（希望信号周波数）＋（ＰＬＬステップ周波数×ｎ（ｎは１以上の自然数））をローカル周波数に設定するローカル周波数設定処理と、を含むことを特徴としている。
【００１７】
上記の構成および方法により、上記受信装置では、２系統の位相同期ループ回路が基準信号を共有できるため、ローカル発振信号の周波数（ローカル周波数）を完全に一致させることが可能である。また、上記受信装置では、１つの系統の信号処理回路におけるローカル周波数を、希望信号周波数からｎステップ周波数だけずらすことができる。
【００１８】
よって、上記受信装置では、２つの信号処理回路で同一の希望信号周波数（チャンネル）を選択しても、両者のローカル周波数をｎ（ｎは１以上の自然数）ステップ周波数だけ正確にずらすことができる。
【００１９】
したがって、２系統の信号処理回路で同一の希望信号周波数を選択した場合に従来問題となっていた、２つのＶＣＯ間の相互干渉を無視できるレベルまで改善できる。その結果、２つのＶＣＯの相互干渉による受信障害を回避して、安定した視聴が可能となる。それゆえ、２系統の信号処理回路を近接させて配置することが可能となるため、１つのキャビネット内に２つの信号処理回路を内蔵した受信装置の小型化を図ることができる。
【００２０】
さらに、本発明の受信装置は、上記ローカル周波数設定手段において、ｎが１であることを特徴としている。
【００２１】
また、本発明の受信装置の制御方法は、上記ローカル周波数設定処理において、ｎが１であることを特徴としている。
【００２２】
上記の構成および方法により、さらに、上記受信装置では、１つの系統の信号処理回路におけるローカル周波数を、希望信号周波数から１ステップ周波数だけずらすことができる。
【００２３】
よって、上記受信装置では、２つの信号処理回路で同一の希望信号周波数を選択しても、両者のローカル周波数を１ステップ周波数だけ正確にずらすことができる。
【００２４】
したがって、２系統の信号処理回路で同一の希望信号周波数を選択した場合に従来問題となっていた、２つのＶＣＯ間の相互干渉を改善できる。その結果、２つのＶＣＯの相互干渉による受信障害を回避して、安定した視聴が可能となる。それゆえ、２系統の信号処理回路を近接させて配置することが可能となるため、１つのキャビネット内に２つの信号処理回路を内蔵した受信装置の小型化を図ることができる。
【００２５】
さらに、本発明の受信装置は、上記基準信号共用手段および上記ローカル周波数設定手段が、上記２系統の希望信号周波数が一致する時のみ機能するものであることを特徴としている。
【００２６】
また、本発明の受信装置の制御方法は、上記基準信号共用処理および上記ローカル周波数設定処理を、上記２系統の希望信号周波数が一致する時のみに行うことを特徴としている。
【００２７】
上記の構成および方法により、さらに、上記受信装置では、２つの信号処理回路で同一の希望信号周波数を選択した時のみ、両者のローカル周波数をｎ（ｎは１以上の自然数）ステップ周波数だけ正確にずらすことができる。
【００２８】
よって、上記受信装置では、２系統の信号処理回路で同一の希望信号周波数を選択した場合に従来問題となっていた、２つのＶＣＯ間の相互干渉を改善できる。それゆえ、２系統の信号処理回路を近接させて配置することが可能となるため、１つのキャビネット内に２つの信号処理回路を内蔵した受信装置の小型化を図ることができる。
【００２９】
その上、上記受信装置では、２系統の信号処理回路で異なる希望信号周波数を選択した場合の制御が簡素化されるため、ソフトウエアの高速化を図ることが可能となる。
【００３０】
さらに、本発明の受信装置は、上記基準信号共用手段および上記ローカル周波数設定手段が、常に機能するものであることを特徴としている。
【００３１】
また、本発明の受信装置の制御方法は、上記基準信号共用処理および上記ローカル周波数設定処理を、常に行うことを特徴としている。
【００３２】
上記の構成および方法により、さらに、上記受信装置では、２つの信号処理回路で同一の希望信号周波数を選択した場合を含めて常に、両者のローカル周波数をｎ（ｎは１以上の自然数）ステップ周波数だけ正確にずらすことができる。
【００３３】
よって、上記受信装置では、２系統の信号処理回路で同一の希望信号周波数を選択した場合に従来問題となっていた、２つのＶＣＯ間の相互干渉を改善できる。それゆえ、２系統の信号処理回路を近接させて配置することが可能となるため、１つのキャビネット内に２つの信号処理回路を内蔵した受信装置の小型化を図ることができる。
【００３４】
その上、上記受信装置では、２系統の信号処理回路で選択される希望信号周波数によらず常に同じ制御を行うため、ソフトウエアを簡素化できる。
【００３９】
さらに、本発明の受信装置は、上記受信装置が、ダイレクトコンバージョン方式のデジタル衛星放送受信用であることを特徴としている。
【００４０】
また、本発明の受信装置の制御方法は、上記受信装置が、ダイレクトコンバージョン方式のデジタル衛星放送受信用であることを特徴としている。
【００４１】
上記の構成および方法は、さらに、ダイレクトコンバージョン方式のデジタル衛星放送受信用の受信装置に好適である。すなわち、上記受信装置を、デジタル放送受信の用途で使用される、２系統の信号処理回路を備え、複数チャンネルの視聴が可能な多機能フロントエンドユニットに適用すれば、２系統が同一トランスポンダを選局する時に発生する、ＶＣＯの相互干渉による受信データの劣化を抑制することができる。
【００４２】
また、本発明の受信装置の制御プログラムは、コンピュータに上記の各処理を実行させるコンピュータ・プログラムである。
【００４３】
上記の構成により、上記受信装置をコンピュータで上記の各処理に従って制御することができる。したがって、上記した受信装置の制御方法の効果である、２系統で同一チャンネルを選局してもＶＣＯの相互干渉がほとんど／全く発生しないため、受信データの劣化を防止できるという効果を奏する。
【００４４】
また、本発明の受信装置の制御プログラムを記録したコンピュータ読み取り可能な記録媒体は、コンピュータに上記の各処理を実行させる受信装置の制御プログラムを記録したコンピュータ読み取り可能な記録媒体である。
【００４５】
上記の構成により、上記記録媒体（例えばＲＯＭ）から読み出された受信装置の制御プログラムによって、上記受信装置をコンピュータで上記の各処理に従って制御することができる。したがって、上記した受信装置の制御方法の効果である、２系統で同一チャンネルを選局してもＶＣＯの相互干渉がほとんど／全く発生しないため、受信データの劣化を防止できるという効果を奏する。
【００４６】
【発明の実施の形態】
〔実施の形態１〕
本発明の実施の形態について図１を参照しながら説明すれば、以下のとおりである。
【００４７】
図１に示すように、本実施の形態に係るデジタル放送受信用フロントエンド装置（受信装置）１は、フロントエンドユニット１０と、外部からフロントエンドユニット１０を制御するホストＣＰＵ３３とを備えて構成されている。
【００４８】
上記フロントエンドユニット１０は、２つの異なるデジタル放送衛星ＳＡ，ＳＢからＲＦ（radio frequency）信号を受信するために、それぞれ特性が設定された２系統のフロントエンド回路（信号処理回路）Ａ，Ｂを備えている。なお、ホストＣＰＵ（central processing unit）３３については、後に詳述する。
【００４９】
上記フロントエンド回路Ａ，Ｂは、入力されたＲＦ信号をレベル変換・フィルタリングするためのＲＦ回路、ＲＦ回路で処理された信号をローカル発振信号と混合し、互いに９０度の位相差を有するＩ信号とＱ信号のベースバンド信号に直接変換するためのダイレクトＩ／Ｑ直交検波回路、およびローカル発振信号を生成するＶＣＯ（voltage controlled oscillator）回路、ローカル発振信号のローカル周波数を制御するＰＬＬ（phase-locked loop）選局回路をそれぞれ備えて構成されている。
【００５０】
具体的には、フロントエンド回路Ａでは、入力端子１１から入力されたＲＦ信号ｐＡ１は、ＲＦフィルタ１３にて不要信号が除去され（ｐＡ２）、ＲＦ増幅器１５で増幅された後（ｐＡ３）、ＲＦ−ＡＧＣ（automatic gain control）回路１７で最適な信号強度に変換されて（ｐＡ４）、Ｉ／Ｑ直交検波器１９に入力される。Ｉ／Ｑ直交検波器１９において、ＲＦ信号ｐＡ４は、ＶＣＯ２１が生成するローカル発振信号ｐＡ５と混合され、互いに９０度の位相差を有するＩ信号（出力信号）ｐＡ６およびＱ信号（出力信号）ｐＡ７のベースバンド信号にダイレクト変換されて、出力端子２７，２９からそれぞれ出力される。ここで、ＶＣＯ２１が生成するローカル発振信号ｑＡ５は、ＰＬＬ選局回路（位相同期ループ回路）２３によってＲＦ信号ｐＡ４と同一の周波数になるように制御される。
【００５１】
また、フロントエンド回路Ｂは、フロントエンド回路Ａと基本構成が同一である。すなわち、フロントエンド回路Ｂでは、入力端子１２から入力されたＲＦ信号ｐＢ１は、ＲＦフィルタ１４にて不要信号が除去され（ｐＢ２）、ＲＦ増幅器１６で増幅された後（ｐＢ３）、ＲＦ−ＡＧＣ回路１８で最適な信号強度に変換されて（ｐＢ４）、Ｉ／Ｑ直交検波器２０に入力される。Ｉ／Ｑ直交検波器２０において、ＲＦ信号ｐＢ４は、ＶＣＯ２２が生成するローカル発振信号ｐＢ５と混合され、互いに９０度の位相差を有するＩ信号（出力信号）ｐＢ６およびＱ信号（出力信号）ｐＢ７のベースバンド信号にダイレクト変換されて、出力端子２８，３０からそれぞれ出力される。ここで、ＶＣＯ２２が生成するローカル発振信号ｑＢ５は、ＰＬＬ選局回路（位相同期ループ回路）２４によってＲＦ信号ｐＢ４と同一の周波数になるように制御される。
【００５２】
これにより、フロントエンドユニット１０では、フロントエンド回路Ａ，Ｂにおいて、２つの異なる衛星ＳＡ，ＳＢからのＲＦ信号ｐＡ１，ｐＢ１がそれぞれ互いに独立して選局・処理され、Ｉ信号ｐＡ６およびＱ信号ｐＡ７と、Ｉ信号ｐＢ６およびＱ信号ｐＢ７との２系統のベースバンド信号が出力される。その結果、フロントエンドユニット５０では、２つの衛星ＳＡ，ＳＢからの放送を受信できる。
【００５３】
さらに、図１に示すように、上記フロントエンドユニット１０には、フロントエンド回路ＡのＲＦ増幅器１５とＲＦ−ＡＧＣ回路１７との間に、ＲＦ分配回路３１が設けられている。また、フロントエンド回路ＢのＲＦ増幅器１６とＲＦ−ＡＧＣ回路１８との間に、ＲＦスイッチ３２が設けられている。そして、ＲＦスイッチ３２は、２つの衛星ＳＡ，ＳＢからのＲＦ信号を受信する時にはＲＦ増幅器１６と接続するように、また１つの衛星ＳＡの異なる２つのチャンネルを受信する時にはＲＦ分配回路３１と接続するように切り換えられる。
【００５４】
ここで、フロントエンド回路ＢのＲＦ−ＡＧＣ回路１８，Ｉ／Ｑ直交検波器２０，ＶＣＯ２２，ＰＬＬ選局回路２４は、衛星ＳＢから受信してレベル変換・フィルタリングされたＲＦ信号ｐＢ３に加えて、衛星ＳＡから受信してレベル変換・フィルタリングされたＲＦ信号ｐ８をベースバンド信号に変換できるように特性が設定されている。
【００５５】
よって、上記フロントエンドユニット１０では、１つの衛星ＳＡの異なる２つのチャンネルを受信する時には、入力端子１１からフロントエンド回路Ａに入力されてＲＦ分配回路３１にて分配出力されたＲＦ信号ｐ８が、フロントエンド回路ＢのＲＦスイッチ３２に入力され、フロントエンド回路Ｂの出力端子２８，３０からＩ信号ｐＢ６およびＱ信号ｐＢ７のベースバンド信号として出力される。
【００５６】
これにより、フロントエンドユニット１０では、１つの衛星ＳＡからのＲＦ信号ｐＡ１をＲＦ分配回路３１で分配し、フロントエンド回路Ａ，Ｂにおいて互いに独立して選局・処理して、Ｉ信号ｐＡ６およびＱ信号ｐＡ７と、Ｉ信号ｐＢ６およびＱ信号ｐＢ７との２系統のベースバンド信号を出力できる。よって、フロントエンドユニット１０では、２つの衛星ＳＡ，ＳＢからの放送を受信できることに加えて、１つの衛星ＳＡの異なる２つのチャンネルを同時に受信できる。すなわち、１つの衛星ＳＡの異なる２つのチャンネルを２つ同時に視聴したり、裏番組を別に用意された機器に記録することができる。
【００５７】
さらに、図１に示すように、上記フロントエンドユニット１０の外部には、ＰＬＬ選局回路２３，２４を制御するためのホストＣＰＵ（基準信号共用手段，ローカル周波数設定手段）３３が設けられている。ホストＣＰＵ３３は、少なくとも次の２つの機能を備えている。
【００５８】
第１に、上記ホストＣＰＵ３３は、１つの衛星ＳＡの１つのチャンネルをフロントエンド回路Ａ，Ｂの両方で受信する時、フロントエンド回路ＢのＰＬＬ選局回路２４内のＰＬＬ基準信号発振回路（図示せず）を停止させるとともに、フロントエンド回路ＡのＰＬＬ選局回路２３内のＰＬＬ基準信号発振回路２５が生成した基準信号ｐ９を、ＰＬＬ選局回路２４に入力する（基準信号共用処理）。すなわち、ホストＣＰＵ３３は、フロントエンド回路ＡのＰＬＬ選局回路２３内のＰＬＬ基準信号発振回路２５において生成した基準信号を、フロントエンド回路Ａ，Ｂ両方のＰＬＬ選局回路２３，２４において共用させる。
【００５９】
よって、上記ホストＣＰＵ３３の制御によれば、ＰＬＬ選局回路２３，２４が基準信号を共有するため、２つのフロントエンド回路Ａ，Ｂで同一のチャンネル（希望信号周波数）を選局した時のローカル発振信号ｐＡ５，ｐＢ５を完全に一致させることが可能である。
【００６０】
第２に、上記ホストＣＰＵ３３は、１つの衛星ＳＡの１つのチャンネルをフロントエンド回路Ａ，Ｂの両方で受信する時、ＰＬＬ選局回路２３，２４にＰＬＬ制御信号を送信して、ローカル発振信号ｐＡ５，ｐＢ５の周波数、すなわちローカル周波数（＝選局周波数）を設定する。ここで、ローカル周波数は、ＰＬＬ基準信号発振回路２５が生成するステップ周波数と、ホストＣＰＵ３３からデータ送信されるプログラマブルデバイダ分周数Ｎによって決定される。
【００６１】
上記ホストＣＰＵ３３における具体的な選局アルゴリズムとしては、フロントエンド回路ＡのＰＬＬ選局回路２３のプログラマブルデバイダには分周数としてＮＡを書き込むのに対し、フロントエンド回路ＢのＰＬＬ選局回路２４のプログラマブルデバイダには分周数として常にＮＢ＋１を書き込む（ローカル周波数設定処理）。ここで、ＮＡは、フロントエンド回路Ａの希望信号周波数÷ステップ周波数である。また、ＮＢは、フロントエンド回路Ｂの希望信号周波数÷ステップ周波数である。
【００６２】
よって、上記ホストＣＰＵ３３の制御によれば、フロントエンド回路ＢのＰＬＬ選局回路２４には常に（希望信号周波数＋１ステップ周波数）の周波数を選局することとなる。ＰＬＬ選局回路のステップ周波数は一般的に数１００ｋＨｚであるので、仮に、フロントエンド回路Ａ，Ｂで同じ周波数を選局したとしても、常にフロントエンド回路Ｂのローカル周波数がフロントエンド回路Ａのローカル周波数に対して正確に１ステップ周波数（＝数１００ｋＨｚ）だけ高くなる。
【００６３】
これにより、上記フロントエンドユニット１０では、１つの衛星ＳＡの１つのチャンネルをフロントエンド回路Ａ，Ｂの両方で受信する時、ローカル周波数の差が正確に１ステップ周波数となる。よって、ＶＣＯ２１，２２の相互干渉を軽減することができ、安定した視聴が可能となる。すなわち、ＶＣＯ２１，２２の相互干渉による受信障害を回避できる。それゆえ、フロントエンド回路Ａ，Ｂを近接させて配置できるため、１つのキャビネット内に２つのフロントエンド回路Ａ，Ｂを内蔵したフロントエンドユニット１０の小型化が可能となる。
【００６４】
なお、ＰＬＬ基準信号をフロントエンド回路Ａ，Ｂでそれぞれ独立して生成すると、部品のばらつきなどによって、基準信号の周波数の差が０にはならない。よって、２つのフロントエンド回路Ａ，Ｂで同一周波数を選局した時のローカル発振信号が完全に一致するかどうかは不明であり、基準信号の周波数の差の分だけ誤差を生じる。そのため、この状態でフロントエンド回路Ｂのローカル周波数を１ステップ周波数だけ高く設定しても、フロントエンド回路Ａ，Ｂでローカル周波数の差が何ｋＨｚ生じるかは不明であり、ローカル周波数が一致することを完全には回避できない。そこで、上記フロントエンドユニット１０では、ＰＬＬ基準信号をフロントエンド回路Ａ，Ｂで共用する。
【００６５】
次に、上記フロントエンドユニット１０は、１つの衛星ＳＡの１つのチャンネルをフロントエンド回路Ａ，Ｂの両方で受信する時、上記ホストＣＰＵ３３の制御により、フロントエンド回路ＡのＰＬＬ選局回路２３のプログラマブルデバイダには分周数としてＮＡを書き込むのに対し、フロントエンド回路ＢのＰＬＬ選局回路２４のプログラマブルデバイダには分周数として常にＮＢ＋ｎを書き込んでもよい。なお、ｎは２以上の自然数である。
【００６６】
よって、上記ホストＣＰＵ３３の制御によれば、フロントエンド回路ＢのＰＬＬ選局回路２４には常に（希望信号周波数＋ｎステップ周波数）の周波数を選局することとなる。
【００６７】
これにより、上記フロントエンドユニット１０では、１つの衛星ＳＡの１つのチャンネルをフロントエンド回路Ａ，Ｂの両方で受信する時、ローカル発振信号ｐＡ５，ｐＢ５の周波数の差が正確に２ステップもしくはそれ以上のステップの周波数となる。よって、ＶＣＯ２１，２２の相互干渉を無視できるレベルまで改善することができ、安定した視聴が可能となる。すなわち、ＶＣＯ２１，２２の相互干渉による受信障害を回避できる。それゆえ、フロントエンド回路Ａ，Ｂを近接させて配置できるため、１つのキャビネット内に２つのフロントエンド回路Ａ，Ｂを内蔵したフロントエンドユニット１０の小型化が可能となる。
【００６８】
次に、上記フロントエンドユニット１０は、上記ホストＣＰＵ３３の制御により、１つの衛星ＳＡの１つのチャンネルをフロントエンド回路Ａ，Ｂの両方で受信する時、すなわち、ＮＡ＝ＮＢの条件を満たす時のみ、フロントエンド回路ＢのＰＬＬ選局回路２４のプログラマブルデバイダに分周数としてＮＢ＋ｎ（ｎは１以上の自然数）を書き込んでもよい。それ以外の時、すなわち、ＮＡ＝ＮＢの条件を満たさない時は、フロントエンド回路Ａ，ＢのＰＬＬ選局回路２３，２４のプログラマブルデバイダには分周数としてＮＡ，ＮＢをそれぞれ書き込む。
【００６９】
よって、上記ホストＣＰＵ３３の制御によれば、１つの衛星ＳＡの１つのチャンネルをフロントエンド回路Ａ，Ｂの両方で受信する時のみ、フロントエンド回路ＢのＰＬＬ選局回路２４に（希望信号周波数＋ｎステップ周波数（ｎは１以上の自然数））の周波数を選局することとなる。
【００７０】
これにより、上記フロントエンドユニット１０では、１つの衛星ＳＡの１つのチャンネルをフロントエンド回路Ａ，Ｂの両方で受信する時には、ＶＣＯ２１，２２の相互干渉による受信障害を回避できるとともに、それ以外の時には制御が簡素化され、ソフトウエアの高速化が図れる。
【００７１】
ここで、上記フロントエンドユニット１０は、２つのローカル周波数を正確にｎ（ｎ≧１）ステップずらすことによって、ＶＣＯの相互干渉を回避する。２つのローカル周波数を正確にｎステップずらすためには、まず、基準信号周波数が完全に一致していることが前提になる。そのため、フロントエンドユニット１０では、基準信号を共用することによって、２つのローカル信号を完全に一致させることが可能な回路を実現している。もちろん、２つのローカル信号を一致させて使用するわけではない。
【００７２】
この点、基準信号を共用しないと、２つのローカル信号を完全に一致させることは困難である。すなわち、基準信号の周波数誤差のために、一致することもあれば、いくらかずれることもある。そして、どれだけずれているかは、部品のバラツキによるため不定である。それゆえ、２つのローカル信号を１ステップだけずらすように設定しても、実際には一致してしまい、相互干渉がより大きくなってしまうことがある。
【００７３】
また、ｎを大きくする程、２つのＶＣＯの相互干渉を軽減できるため、ｎの値は大きい方が望ましい。ただし、ｎが大きくなるにしたがって、ＱＰＳＫ復調ＩＣがキャリア同期するまでに要する時間が長くなる／キャリア同期できない、ビットエラーレートが劣化する、といった弊害が生じるおそれがある。そして、ｎの値をいくらまで大きくできるかは、ＱＰＳＫ復調ＩＣの仕様・性能によって異なる。よって、ｎの値は、使用するＱＰＳＫ復調ＩＣの仕様・性能に応じて適宜設定すればよい。また、少なくともｎ＝１（数百ｋＨｚ程度のキャリアとローカル周波数のずれ）では、上記のような弊害は発生しない。上記フロントエンドユニット１０は、ｎの値を容易に変更できるため有利である。
【００７４】
〔実施の形態２〕
本発明の他の実施の形態について図２を参照しながら説明すれば、以下のとおりである。なお、説明の便宜上、前記の実施の形態１において示した部材と同一の機能を有する部材には、同一の符号を付し、その説明を省略する。また、実施の形態１において定義した用語については、特に断らない限り本実施の形態においてもその定義に則って用いるものとする。
【００７５】
図２に示すように、本実施の形態に係るデジタル放送受信用フロントエンド装置（受信装置）２は、フロントエンドユニット１０′と、外部からフロントエンドユニット１０′を制御するホストＣＰＵ３３′とを備えて構成されている。
【００７６】
上記フロントエンドユニット１０′は、実施の形態１で説明したフロントエンドユニット１０とほぼ同一の構成を備えている。よって、相違する点のみを説明する。
【００７７】
上記フロントエンドユニット１０′は、フロントエンド回路ＡのＩ／Ｑ直交検波器１９の後段に、Ｉ信号ｐＡ６およびＱ信号ｐＡ７のベースバンド信号を２分配するベースバンドスイッチ２４を備えている。また、Ｉ／Ｑ直交検波器１９，２０の後段には、ＡＤ変換機能、ＱＰＳＫ（quadri-phase shift keying）復調機能、ＦＥＣ（forward error correction）機能等のデジタル信号処理機能を有するＱＰＳＫ復調ＩＣ（integrated circuit）３５、３６がそれぞれ設けられている。なお、実施の形態１に係るフロントエンドユニット１０（図１）では、出力端子２７〜３０から出力されたベースバンド信号のＩ信号ｐＡ６およびＱ信号ｐＡ７ならびにＩ信号ｐＢ６およびＱ信号ｐＢ７が入力されるようにＱＰＳＫ復調ＩＣが外部に設けられている。
【００７８】
また、図２に示すように、上記フロントエンドユニット１０′の外部には、フロントエンドユニット１０と同様に、ＰＬＬ選局回路２３，２４を制御するためのホストＣＰＵ３３′（出力信号分配手段）が設けられている。ホストＣＰＵ３３′は、少なくとも次の２つの機能を備えている。
【００７９】
第１に、上記ホストＣＰＵ３３′は、１つの衛星ＳＡの１つのチャンネルをフロントエンド回路Ａ，Ｂの両方で受信する時、ＶＣＯ２２電源をオフしてフロントエンド回路Ｂのローカル発信を停止させる。
【００８０】
よって、上記ホストＣＰＵ３３′の制御によれば、２つのフロントエンド回路Ａ，Ｂで同一のチャンネル（希望信号周波数）を選局した時、フロントエンド回路ＢのＩ信号ｐＢ６およびＱ信号ｐＢ７がＱＰＳＫ復調ＩＣ３６に入力されなくなる。
【００８１】
第２に、上記ホストＣＰＵ３３′は、１つの衛星ＳＡの１つのチャンネルをフロントエンド回路Ａ，Ｂの両方で受信する時、ベースバンドスイッチ２４をオンして、フロントエンド回路ＡのＩ信号ｐＡ６およびＱ信号ｐＡ７をＱＰＳＫ復調ＩＣ３５，３６の両方に入力する。
【００８２】
これにより、上記ホストＣＰＵ３３′の制御によれば、１つの衛星ＳＡの１つのチャンネルをフロントエンド回路Ａ，Ｂの両方で受信する時、すなはちＮＡ＝ＮＢの条件を満たす時、フロントエンド回路ＢのＶＣＯ２２の発振を停止させるとともに、フロントエンド回路Ａのベースバンド信号（ｐＡ６およびｐＡ７）を２個のＱＰＳＫ復調ＩＣ３５，３６に分配入力して（出力信号分配処理）、２系統のトランスポートストリーム信号を得ることができる。もちろん、ＮＡ＝ＮＢ以外の時は、ＶＣＯ２２の発振を停止させず、かつベースバンドスイッチ２４をオフして、２系統のベースバンド信号（ｐＡ６およびｐＡ７，ｐＢ６およびｐＢ７）から、２種類のトランスポートストリーム信号をそれぞれ得ることができる。
【００８３】
よって、上記フロントエンドユニット１０′では、１つの衛星ＳＡの１つのチャンネルをフロントエンド回路Ａ，Ｂの両方で受信する時、ＶＣＯがフロントエンド回路ＡのＶＣＯ２１しか動作しないため、ＶＣＯの相互干渉が全く発生しない。したがって、２つのフロントエンド回路Ａ，Ｂを１つのキャビネット内に密集させることができるため、フロントエンドユニット１０′の小型化が可能である。
【００８４】
次に、フロントエンドユニット１０′は、ＱＰＳＫ復調ＩＣ３５，３６の両方もしくはどちらか一方に代えて、ＱＡＭ（quadrature amplitude modulation）復調器、８ＰＳＫ（phase shift keying）復調器、もしくはＯＦＤＭ（orthogonal frequency division multiplex）復調器を設けてもよい。もちろん、フロントエンドユニット１０の場合、すなわち、これら復調器を外部に設ける場合も同様である。
【００８５】
上記フロントエンドユニット１０′は、デジタル衛星方法の他、デジタルＣＡＴＶ（cable television）放送やデジタル地上波放送を受信するデジタル放送受信用チューナとして好適である。よって、上記フロントエンドユニット１０′が受信するＲＦ信号としては、デジタルＣＡＴＶ放送用のＲＦ信号もしくはデジタル地上波放送用のＲＦ信号であってもよい。その場合、ＱＰＳＫ復調ＩＣの替わりとしてＱＡＭ復調器やＯＦＤＭ復調器を設けてもよく、特に日本のデジタルＢＳ放送であれば８ＰＳＫ復調部を設けてもよい。
【００８６】
以上のように、上記フロントエンドユニット１０，１０′によれば、通常のデジタル衛星放送のみならず、国内のデジタルＢＳ放送や、ＣＡＴＶ放送、デジタル地上波放送の受信用チューナにおいて、２系統のＶＣＯ回路の相互干渉による受信障害を抑制して、キャビネットを小型化することが可能となる。
【００８７】
また、上記ホストＣＰＵ３３，３３′は、その機能を実現するために、プログラム（受信装置の制御プログラム）の命令を実行するＣＰＵ（central processing unit ）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。
【００８８】
そして、本発明の目的は、上述した機能を実現するソフトウエアである制御プログラムのプログラムコード（実行形式プログラム、中間コードプログラム、ソースプログラム）をコンピュータで読み取り可能に記録した記録媒体を、上記ホストＣＰＵ３３，３３′に供給し、そのコンピュータ（またはＣＰＵやＭＰＵ）が記録媒体に記録されているプログラムコードを読み出し実行することによっても、達成可能である。この場合、記録媒体から読み出されたプログラムコード自体が上述した機能を実現することになり、そのプログラムコードを記録した記録媒体は本発明を構成することになる。
【００８９】
また、上記プログラムコードは、コンピュータが記録媒体から読み出して直接実行できるように記録されていてもよいし、記録媒体から主記憶のプログラム記憶領域へ転送された後コンピュータが主記憶から読み出して実行できるように記録されていてもよい。
【００９０】
さらに、上記ホストＣＰＵ３３，３３′を通信ネットワーク（インターネット、イントラネット等を含む）と接続可能に構成し、上記プログラムコードを通信ネットワークを介して供給してもよい。
【００９１】
なお、プログラムコードを記録媒体から読み出して主記憶に格納するためのプログラム、および、通信ネットワークからプログラムコードをダウンロードするためのプログラムは、コンピュータによって実行可能にあらかじめシステムあるいは装置に格納されているものとする。
【００９２】
上述した機能は、コンピュータが読み出した上記プログラムコードを実行することによって実現されるだけでなく、そのプログラムコードの指示に基づき、コンピュータ上で稼働しているＯＳなどが実際の処理の一部または全部を行うことによっても実現される。
【００９３】
さらに、上述した機能は、上記記録媒体から読み出された上記プログラムコードが、コンピュータに装着された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行うことによっても実現される。
【００９４】
なお、本実施の形態は本発明の範囲を限定するものではなく、本発明の範囲内で種々の変更が可能であり、例えば、以下のように構成することができる。
【００９５】
本発明に係るデジタル衛星放送受信用フロントエンドは、内部に２系統の信号処理手段を有するダイレクトコンバージョン方式のデジタル衛星放送受信用受信機において、一方の系統で生成された位相同期ループ回路の基準信号を、もう一方の系統の位相同期ループの基準信号として入力し、２系統の基準信号周波数が全く同一であることを利用して、１系統は希望信号と同一のローカル周波数を選局し、もう一方は（希望信号周波数）＋（ＰＬＬステップ周波数×１）のローカル周波数を常に選局するように構成されていてもよい。
【００９６】
また、本発明に係るデジタル衛星放送受信用フロントエンドは、内部に２系統の信号処理手段を有するダイレクトコンバージョン方式のデジタル衛星放送受信用受信機において、一方の系統で生成された位相同期ループ回路の基準信号を、もう一方の系統の位相同期ループの基準信号として入力し、かつ１系統は希望信号と同一のローカル周波数を選局し、もう一方は（希望信号周波数）＋（ＰＬＬステップ周波数×ｎ）のローカル周波数を常に選局するように構成されていてもよい。なお、ｎは１以上の自然数とする。
【００９７】
また、本発明に係るデジタル衛星放送受信用フロントエンドは、内部に２系統の信号処理手段を有するダイレクトコンバージョン方式のデジタル衛星放送受信用受信機において、一方の系統で生成された位相同期ループ回路の基準信号を、もう一方の系統の位相同期ループの基準信号として入力し、かつ２系統が同一周波数を選局する場合にのみ、２系統のうちの１系統の選局周波数を１ステップだけシフトさせるように構成されていてもよい。
【００９８】
また、本発明に係るデジタル衛星放送受信用フロントエンドは、内部に２系統の信号処理手段を有するダイレクトコンバージョン方式のデジタル衛星放送受信用受信機において、一方の系統で生成された位相同期ループ回路の基準信号を、もう一方の系統の位相同期ループの基準信号として入力し、かつ２系統が同一周波数を選局する場合にのみ、２系統のうちの１系統の選局周波数をｎステップだけシフトさせるように構成されていてもよい。
【００９９】
また、本発明に係るデジタル衛星放送受信用フロントエンドは、内部に２系統の信号処理手段と２個のＱＰＳＫ復調ＩＣを有するダイレクトコンバージョン方式のデジタル衛星放送受信用受信機において、２系統が同一周波数を選局する場合にのみ、２系統のうちの１系統のＶＣＯの発振を停止させ、残りの１系統のベースバンド信号（ＩおよびＱ信号）を上記の２個のＱＰＳＫ復調ＩＣに分配入力し、２系統のトランスポートストリーム信号を得るように構成されていてもよい。
【０１００】
また、本発明に係るデジタル衛星放送受信用フロントエンドは、前述のＱＰＳＫ復調ＩＣに替えて、デジタル衛星放送用の８ＰＳＫ復調ＩＣもしくはデジタルＣＡＴＶ放送用のＱＡＭ復調ＩＣもしくはデジタル地上波放送用のＯＦＤＭ復調ＩＣを搭載してもよい。
【０１０１】
また、本発明に係るデジタル衛星放送受信用フロントエンドの制御用ソフトウェアは、デジタル放送受信用フトントエンドを上記のように動作させる制御用ソフトウェアである。
【０１０２】
なお、実施の形態では、一方の系統に（希望信号周波数）＋（ＰＬＬステップ周波数×ｎ（ｎは１以上の自然数））をローカル周波数に設定するローカル周波数設定手段を備える構成を説明してきたが、本発明は、（希望信号周波数）−（ＰＬＬステップ周波数×ｎ（ｎは１以上の自然数））をローカル周波数に設定するローカル周波数設定手段を備えていてもよい。
【０１０３】
【発明の効果】
以上のように、本発明の受信装置は、ＶＣＯ回路をそれぞれ備えた２系統の信号処理回路を有する受信装置であって、一方の系統で生成された位相同期ループ回路の基準信号を、他方の系統の位相同期ループ回路の基準信号として入力する基準信号共用手段と、一方の系統には希望信号周波数と同一の周波数をローカル周波数に設定し、他方の系統にはＶＣＯ回路の相互干渉を低減するように、（希望信号周波数）＋（ＰＬＬステップ周波数×ｎ（ｎは１以上の自然数））をローカル周波数に設定するローカル周波数設定手段と、を備える構成である。
【０１０４】
また、本発明の受信装置の制御方法は、ＶＣＯ回路をそれぞれ備えた２系統の信号処理回路を有する受信装置であって、一方の系統で生成された位相同期ループ回路の基準信号を、他方の系統の位相同期ループ回路の基準信号として入力する基準信号共用手段と、一方の系統には希望信号周波数と同一の周波数をローカル周波数に設定し、他方の系統にはＶＣＯ回路の相互干渉を低減するように、（希望信号周波数）＋（ＰＬＬステップ周波数×ｎ（ｎは１以上の自然数））をローカル周波数に設定するローカル周波数設定手段と、を含む方法である。
【０１０５】
それゆえ、上記受信装置では、２つの信号処理回路で同一の希望信号周波数（チャンネル）を選択しても、両者のローカル周波数をｎ（ｎは１以上の自然数）ステップ周波数だけ正確にずらすことができる。
【０１０６】
したがって、２系統の信号処理回路で同一の希望信号周波数を選択した場合に従来問題となっていた、２つのＶＣＯ間の相互干渉を無視できるレベルまで改善できる。その結果、２つのＶＣＯの相互干渉による受信障害を回避して、安定した視聴が可能となるという効果を奏する。それゆえ、２系統の信号処理回路を近接させて配置することが可能となるため、１つのキャビネット内に２つの信号処理回路を内蔵した受信装置の小型化を図ることができるという効果を奏する。
【０１０７】
さらに、本発明の受信装置は、上記ローカル周波数設定手段において、ｎが１である構成である。
【０１０８】
また、本発明の受信装置の制御方法は、上記ローカル周波数設定処理において、ｎが１である構成である。
【０１０９】
それゆえ、さらに、上記受信装置では、２つの信号処理回路で同一の希望信号周波数を選択しても、両者のローカル周波数を１ステップ周波数だけ正確にずらすことができる。
【０１１０】
したがって、２系統の信号処理回路で同一の希望信号周波数を選択した場合に従来問題となっていた、２つのＶＣＯ間の相互干渉を改善できる。その結果、２つのＶＣＯの相互干渉による受信障害を回避して、安定した視聴が可能となるという効果を奏する。それゆえ、２系統の信号処理回路を近接させて配置することが可能となるため、１つのキャビネット内に２つの信号処理回路を内蔵した受信装置の小型化を図ることができるという効果を奏する。
【０１１１】
さらに、本発明の受信装置は、上記基準信号共用手段および上記ローカル周波数設定手段が、上記２系統の希望信号周波数が一致する時のみ機能するものである。
【０１１２】
また、本発明の受信装置の制御方法は、上記基準信号共用処理および上記ローカル周波数設定処理を、上記２系統の希望信号周波数が一致する時のみに行う方法である。
【０１１３】
それゆえ、さらに、上記受信装置では、２系統の信号処理回路で同一の希望信号周波数を選択した場合に従来問題となっていた、２つのＶＣＯ間の相互干渉を改善できる。したがって、２系統の信号処理回路を近接させて配置することが可能となるため、１つのキャビネット内に２つの信号処理回路を内蔵した受信装置の小型化を図ることができるという効果を奏する。
【０１１４】
その上、上記受信装置では、２系統の信号処理回路で異なる希望信号周波数を選択した場合の制御が簡素化されるため、ソフトウエアの高速化を図ることが可能となるという効果を奏する。
【０１１５】
さらに、本発明の受信装置は、上記基準信号共用手段および上記ローカル周波数設定手段が、常に機能するものである。
【０１１６】
また、本発明の受信装置の制御方法は、上記基準信号共用処理および上記ローカル周波数設定処理を、常に行う方法である。
【０１１７】
それゆえ、さらに、上記受信装置では、２系統の信号処理回路で同一の希望信号周波数を選択した場合に従来問題となっていた、２つのＶＣＯ間の相互干渉を改善できる。したがって、２系統の信号処理回路を近接させて配置することが可能となるため、１つのキャビネット内に２つの信号処理回路を内蔵した受信装置の小型化を図ることができるという効果を奏する。
【０１１８】
その上、上記受信装置では、２系統の信号処理回路で選択される希望信号周波数によらず常に同じ制御を行うため、ソフトウエアを簡素化できるという効果を奏する。
【０１２２】
さらに、本発明の受信装置は、上記受信装置が、ダイレクトコンバージョン方式のデジタル衛星放送受信用である。
【０１２３】
また、本発明の受信装置の制御方法は、上記受信装置が、ダイレクトコンバージョン方式のデジタル衛星放送受信用である。
【０１２４】
それゆえ、さらに、ダイレクトコンバージョン方式のデジタル衛星放送受信用の受信装置に好適である。すなわち、上記受信装置を、デジタル放送受信の用途で使用される、２系統の信号処理回路を備え、複数チャンネルの視聴が可能な多機能フロントエンドユニットに適用すれば、２系統が同一トランスポンダを選局する時に発生する、ＶＣＯの相互干渉による受信データの劣化を抑制することができるという効果を奏する。
【０１２５】
また、本発明の受信装置の制御プログラムは、コンピュータに上記の各処理を実行させるコンピュータ・プログラムである。
【０１２６】
それゆえ、上記受信装置をコンピュータで上記の各処理に従って制御することができる。したがって、上記した受信装置の制御方法の効果である、２系統で同一チャンネルを選局してもＶＣＯの相互干渉がほとんど／全く発生しないため、受信データの劣化を防止できるという効果を奏する。
【０１２７】
また、本発明の受信装置の制御プログラムを記録したコンピュータ読み取り可能な記録媒体は、コンピュータに上記の各処理を実行させる受信装置の制御プログラムを記録したコンピュータ読み取り可能な記録媒体である。
【０１２８】
それゆえ、上記記録媒体（例えばＲＯＭ）から読み出された受信装置の制御プログラムによって、上記受信装置をコンピュータで上記の各処理に従って制御することができる。したがって、上記した受信装置の制御方法の効果である、２系統で同一チャンネルを選局してもＶＣＯの相互干渉がほとんど／全く発生しないため、受信データの劣化を防止できるという効果を奏する。
【図面の簡単な説明】
【図１】本発明の一実施の形態に係るデジタル放送受信用フロントエンド装置の概略を示すブロック図である。
【図２】本発明の他の実施の形態に係るデジタル放送受信用フロントエンド装置の概略を示すブロック図である。
【図３】従来の技術に係るデジタル放送受信用フロントエンド装置の概略を示すブロック図である。
【図４】従来の技術に係るデジタル放送受信用フロントエンド装置の概略を示すブロック図である。
【符号の説明】
１，２  デジタル放送受信用フロントエンド装置（受信装置）
２３，２４  ＰＬＬ選局回路（位相同期ループ回路）
３３    ホストＣＰＵ（基準信号共用手段，ローカル周波数設定手段）
３３′  ホストＣＰＵ（出力信号分配手段）
Ａ，Ｂ  フロントエンド回路（信号処理回路）
ｐＡ６，ｐＢ６  Ｉ信号（出力信号）
ｐＡ７，ｐＢ７  Ｑ信号（出力信号）
ｐ９    基準信号
【図１】
0003773042.tif 000002
【図２】
0003773042.tif 000003
【図３】
0003773042.tif 000004
【図４】
0003773042.tif 000005